(57)【要約】      （修正有）【課題】作業者がケーシング部材の取り付け作業をしやすい冷凍装置の室外ユニットを提供する。【解決手段】第１ケーシング部材２２は、両端のうち少なくとも一端に１または複数の第１開口２２ｂが形成される。第２ケーシング部材２３は、両端のうち少なくとも一端に１または複数の第２開口２３ａが形成される。第３ケーシング部材２１は、一端に、第１開口２２ｂに挿入される１または複数の第１爪部８０を有し、他端に、第２開口２３ａに挿入される１または複数の第２爪部を有する。第３ケーシング部材２１は、第１爪部８０が第１開口２２ｂに挿入され第２爪部が第２開口２３ａに挿入されて第１ケーシング部材２２および第２ケーシング部材２３に対して上方に移動され、正規の位置に取り付けられる。第１爪部８０および第２爪部は、上方向に延びる上突出部を有し、第１爪部８０および第２爪部のうち少なくとも一方は、下方向に伸びる下突出部をさらに有する。【選択図】図２
2010175195.tif 000002
【特許請求の範囲】
【請求項１】
両端のうち少なくとも一端に１または複数の第１開口（２２ｂ）が形成される第１ケーシング部材（２２）と、
両端のうち少なくとも一端に１または複数の第２開口（２３ａ）が形成される第２ケーシング部材（２３）と、
一端に、前記第１開口（２２ｂ）に挿入される１または複数の第１爪部（８０）を有し、他端に、前記第２開口（２３ａ）に挿入される１または複数の第２爪部（８１）を有し、前記第１爪部（８０）が前記第１開口（２２ｂ）に挿入され前記第２爪部（８１）が前記第２開口（２３ａ）に挿入されて前記第１ケーシング部材（２２）および前記第２ケーシング部材（２３）に対して上方に移動されることで、正規の位置に取り付けられる第３ケーシング部材（２１）と、
を備え、
前記第１爪部（８０）および前記第２爪部（８１）は、上方向に延びる上突出部（８０ａ，８１ａ）を有し、前記第１爪部（８０）および前記第２爪部（８１）のうち少なくとも一方は、下方向に延びる下突出部（８０ｂ，８１ｂ）をさらに有する、
冷凍装置の室外ユニット（２）。
【請求項２】
前記第１ケーシング部材（２２）の第１上端部と、前記第２ケーシング部材（２３）の第２上端部と、前記第３ケーシング部材（２１）の第３上端部とに嵌まることが可能な第４ケーシング部材（２６）をさらに備え、
前記第１上端部および前記第２上端部が前記第４ケーシング部材（２６）に嵌まっている状態において、前記第１爪部（８０）が前記第１開口（２２ｂ）に挿入され前記第２爪部（８１）が前記第２開口（２３ａ）に挿入され前記第３ケーシング部材（２１）が前記第１ケーシング部材（２２）および第２ケーシング部材（２３）に対して上方に移動されて、前記第３上端部が前記第４ケーシング部材（２６）に嵌まることで、前記第３ケーシング部材（２１）は正規の位置に取り付けられる、
請求項１に記載の冷凍装置の室外ユニット（２）。
【請求項３】
前記第１爪部（８０）は、前記第３ケーシング部材（２１）の本体部（２１ａ）から前記第１開口（２２ｂ）に向かう方向に突出する第１突出部（８０ｃ）をさらに有し、
前記第２爪部（８１）は、前記第３ケーシング部材（２１）の本体部（２１ａ）から前記第２開口（２３ａ）に向かう方向に突出する第２突出部（８１ｃ）をさらに有し、
前記上突出部（８０ａ，８１ａ）は、前記第１突出部（８０ｃ）および前記第２突出部（８１ｃ）の先端部からそれぞれ上方向に延び、
前記下突出部（８０ｂ）は、前記第１突出部（８０ｃ）および／または前記第２突出部（８１ｃ）の先端部から下方向に延びる、
請求項１または２に記載の冷凍装置の室外ユニット（２）。
【請求項４】
前記第１開口（２２ｂ）および前記第２開口（２３ａ）の鉛直方向の長さは、前記上突出部（８０ａ，８１ａ）の最上位置から前記下突出部（８０ｂ，８１ｂ）の最下位置までの長さよりも長い、
請求項１〜３のいずれかに記載の冷凍装置の室外ユニット（２）。
【請求項５】
少なくとも前記第１爪部（８０）は、前記下突出部（８０ｂ）を有しており、
前記第１ケーシング部材（２２）は、前記第１開口（２２ａ）の下部を形成する第１開口下部形成部（７１）を有し、
前記第１突出部（８０ｃ）は、前記第１開口下部形成部（７１）に引っ掛け可能である引っ掛け部（８０ｄ）を有し、
前記下突出部（８０ｂ）は、前記第１開口下部形成部（７１）に引っ掛け可能である第１側部（８０ｅ）を有する、
請求項２〜４のいずれかに記載の冷凍装置の室外ユニット（２）。
【請求項６】
前記第３ケーシング部材（２１）は、前記引っ掛け部（８０ｄ）と前記第１開口下部形成部（７１）との接触箇所を支点として回転可能であり、
前記第２爪部（８１）は、回転方向に延びる、
請求項５に記載の冷凍装置の室外ユニット（２）。
【請求項７】
請求項５に記載の冷凍装置の室外ユニット（２）のケーシングの組立方法であって、
前記第１開口（２２ｂ）に前記第１爪部（８０）が挿入されて前記引っ掛け部（８０ｄ）が前記第１開口下部形成部（７１）に引っ掛かる第１ステップと、
前記第３ケーシング部材（２１）が、前記引っ掛け部（８０ｄ）と、前記第１開口下部形成部（７１）との接触箇所を支点として回動され、前記第２爪部（８１）が前記第２開口（２３ａ）に挿入される第２ステップと、
を備える、
冷凍装置の室外ユニット（２）のケーシングの組立方法。
【請求項８】
前記第２ステップに続く第３ステップであって、前記第３ケーシング部材（２１）が前記第１ケーシング部材（２２）および前記第２ケーシング部材（２３）に対して上方に移動され、前記第３上端部が前記第４ケーシング部材（２６）に嵌まる第３ステップをさらに備える、
請求項７に記載の冷凍装置の室外ユニット（２）のケーシングの組立方法。
【請求項９】
請求項１に記載の冷凍装置の室外ユニット（２）であって、
前記第１爪部（８０）および前記第２爪部（８１）は、前記下突出部（８０ｂ，８１ｂ）を有しており、
前記第２爪部（８１）の前記下突出部（８１ｂ）の鉛直方向の長さは、前記第１爪部（８０）の前記下突出部（８０ｂ）の鉛直方向の長さよりも短い、
冷凍装置の室外ユニット（２）。
【発明の詳細な説明】
【技術分野】
【０００１】
本発明は、冷凍装置の室外ユニットに関する。
【背景技術】
【０００２】
従来、ケーシングの内部が鉛直方向に延びる仕切板によって送風機室と機械室とに分割される、いわゆるトランク型の構造と呼ばれる冷凍装置の室外ユニットが存在している（例えば、特許文献１（特開２００３−１０６５６５））。この室外ユニットでは、送風機室には、熱交換器やファンが配置され、機械室には、圧縮機や電装品ユニット等が配置されている。そして、ケーシングは、底板や側板など、複数枚の板金部材から構成されている。
【発明の概要】
【発明が解決しようとする課題】
【０００３】
特許文献１に記載のような室外ユニットを組み立てるために、作業者は、熱交換器や圧縮機等を底板に配置し、送風機室および機械室に配置されるべき機器が配置された状態で、底板の周縁に側板などの板金部材を取り付けていく。ここで、特許文献１に記載の室外ユニットのように、板金部材が、隣接する板金部材と互いに係合するように凹部や凸部などの係合部を有しているものがある。しかし、室外ユニットの組立過程において、作業者が、隣接する板金部材の係合部同士をうまく噛み合わすことができず、手間がかかる場合も想定される。また、室外ユニットの据付時やメンテナンス時における板金部材の取り外しや取り付け作業においても、隣接する板金部材の係合部同士を外したり、噛み合わしたりすることに手間がかかり、作業者の作業効率に影響を与える場合が想定される。
【０００４】
そこで、本発明の課題は、作業者がケーシング部材の取り付け作業をしやすい冷凍装置の室外ユニットを提供することにある。
【課題を解決するための手段】
【０００５】
第１発明に係る冷凍装置の室外ユニットは、第１ケーシング部材と、第２ケーシング部材と、第３ケーシング部材とを備える。第１ケーシング部材は、両端のうち少なくとも一端に１または複数の第１開口が形成される。第２ケーシング部材は、両端のうち少なくとも一端に１または複数の第２開口が形成される。第３ケーシング部材は、一端に、第１開口に挿入される１または複数の第１爪部を有し、他端に、第２開口に挿入される１または複数の第２爪部を有する。そして、第３ケーシング部材は、第１爪部が第１開口に挿入され第２爪部が第２開口に挿入されて第１ケーシング部材および第２ケーシング部材に対して上方に移動されることで、正規の位置に取り付けられる。第１爪部および第２爪部は、上方向に延びる上突出部を有し、第１爪部および第２爪部のうち少なくとも一方は、下方向に伸びる下突出部をさらに有する。
【０００６】
ここで、例えば、冷凍装置は、空調機である。
【０００７】
第１発明に係る冷凍装置の室外ユニットでは、第１爪部または第２爪部が下突出部を有する場合、下突出部を、第１開口または第２開口にあずけることができるので、作業者が、第３ケーシング部材を第１ケーシング部材および第２ケーシング部材に対して取り付けやすくなる。また、第１爪部および第２爪部が下突出部を有する場合、それぞれの下突出部を第１開口または第２開口にあずけることができるので、作業者が、第３ケーシング部材を第１ケーシング部材および第２ケーシング部材に対して取り付けやすくなる。
【０００８】
第２発明に係る冷凍装置の室外ユニットは、第１発明に係る冷凍装置の室外ユニットであって、第４ケーシング部材をさらに備える。第４ケーシング部材は、第１ケーシング部材の第１上端部と、第２ケーシング部材の第２上端部と、第３ケーシング部材の第３上端部とに嵌まることが可能である。第１上端部および第２上端部が第４ケーシング部材に嵌まっている状態において、第１爪部が第１開口に挿入され第２爪部が第２開口に挿入され第３ケーシング部材が第１ケーシング部材および第２ケーシング部材に対して上方に移動されて、第３上端部が第４ケーシング部材に嵌まることで、第３ケーシング部材は正規の位置に取り付けられる。
【０００９】
第２発明に係る冷凍装置の室外ユニットでは、第３ケーシング部材が第１ケーシング部材および第２ケーシング部材に対して上方に移動されることにより、正規の位置に取り付けられる。
【００１０】
第３発明に係る冷凍装置の室外ユニットは、第１発明または第２発明に係る冷凍装置の室外ユニットであって、第１爪部は、第３ケーシング部材の本体部から第１開口に向かう方向に突出する第１突出部をさらに有し、第２爪部は、第３ケーシング部材の本体部から第２開口に向かう方向に突出する第２突出部をさらに有する。上突出部は、第１突出部および第２突出部の先端部からそれぞれ上方向に延びる。下突出部は、第１突出部および／または第２突出部の先端部から下方向に延びる。
【００１１】
第３発明に係る冷凍装置の室外ユニットでは、第１爪部または第２爪部が下突出部を有する場合、第１突出部または第２突出部の先端部を除いた部分の下方に隙間が生じる。これにより、例えば、第１爪部または第２爪部を第１開口または第２開口に挿入した際、下突出部を、第１開口または第２開口の下方部分を形成する部分に接触させることができ、その接触箇所の一部を支点として第３ケーシング部材を第１ケーシング部材側または第２ケーシング部材側に回動させることができる。これにより、第３ケーシング部材の取り付け作業をしやすくなる。また、第１爪部および第２爪部が下突出部を有する場合、それぞれ、第１突出部および第２突出部の先端部を除いた部分の下方に隙間が生じる。よって、例えば、第３ケーシング部材を第１ケーシング部材側に回動させることも、第２ケーシング部材側に回動させることも可能になる。
【００１２】
第４発明に係る冷凍装置の室外ユニットは、第１発明〜第３発明のいずれかに係る冷凍装置の室外ユニットであって、第１開口および第２開口の鉛直方向の長さは、上突出部の最上位置から下突出部の最下位置までの長さよりも長い。
【００１３】
第４発明に係る冷凍装置の室外ユニットでは、第１開口および第２開口の鉛直方向の長さが第１爪部および第２爪部の全体の鉛直方向の長さよりも長いことにより、第１爪部および第２爪部を第１開口および第２開口のそれぞれに挿入しやすくなる。よって、第３ケーシング部材の第１ケーシング部材および第２ケーシング部材への取り付けが容易になる。
【００１４】
第５発明に係る冷凍装置の室外ユニットは、第２発明〜第４発明のいずれかに係る冷凍装置の室外ユニットであって、少なくとも第１爪部は、下突出部を有し、第１ケーシング部材は、第１開口下部形成部を有し、第１突出部は、引っ掛け部を有し、下突出部は、第１側部を有する。第１開口下部形成部は、第１開口の下部を形成する。引っ掛け部は、第１開口下部形成部に引っ掛け可能である。第１側部は、第１開口下部形成部に引っ掛け可能である。
【００１５】
第５発明に係る冷凍装置の室外ユニットでは、第１突出部が引っ掛け部を有することにより、第１爪部を第１開口に挿入した際、引っ掛け部を第１開口下部形成部に当接させることができる。これにより、この接触箇所を支点として第３ケーシング部材を回動させることができるので、第３ケーシング部材を第１ケーシング部材および第２ケーシング部材に取り付けやすくなる。また、下突出部が第１側部を有することにより、第３ケーシング部材を、引っ掛け部と第１開口下部形成部との接触箇所を支点として回動させる際、第１爪部が第１開口から外れないようにすることができる。
【００１６】
第６発明に係る冷凍装置の室外ユニットは、第５発明に係る冷凍装置の室外ユニットであって、第３ケーシング部材は、第１開口下部形成部と引っ掛け部との接触箇所を支点として回転可能である。そして、第２爪部は、回転方向に延びる。
【００１７】
第６発明に係る冷凍装置の室外ユニットでは、第２爪部が回転方向に延びていることにより、第３ケーシング部材が第２ケーシング部材に対して嵌まりやすくなっている。
【００１８】
第７発明に係る冷凍装置の室外ユニットのケーシングの組立方法は、第６発明に係る冷凍装置の室外ユニットのケーシングの組立方法であって、第１ステップと、第２ステップとを備える。第１ステップでは、第１開口に第１爪部が挿入されて引っ掛け部が第１開口下部形成部に引っ掛かる。第２ステップでは、第３ケーシング部材が、引っ掛け部と、第１開口下部形成部との接触箇所を支点として回動され、第２爪部が第２開口に挿入される。
【００１９】
第７発明に係る冷凍装置の室外ユニットのケーシングの組立方法では、引っ掛け部が第１開口下部形成部に引っ掛けられることで、引っ掛け部と第１開口下部形成部との接触箇所が生じ、その接触箇所を支点として第３ケーシング部材を回動させることができるようになる。これにより、第２爪部を第２開口に挿入させやすくなり、作業者の第３ケーシング部材の第１ケーシング部材および第２ケーシング部材への取り付けが容易になる。
【００２０】
第８発明に係る冷凍装置の室外ユニットのケーシングの組立方法は、第７発明に係る冷凍装置の室外ユニットのケーシングの組立方法であって、第２ステップに続く第３ステップをさらに備える。第３ステップでは、第３ケーシング部材が第１ケーシング部材および第２ケーシング部材に対して上方に移動され、第３上端部が第４ケーシング部材に嵌まる。
【００２１】
第８発明に係る冷凍装置の室外ユニットのケーシングの組立方法では、第３上端部が第４ケーシング部材に嵌まることで第３ケーシング部材が正規の位置に取り付けられる。
【００２２】
第９発明に係る冷凍装置の室外ユニットは、第１発明に係る冷凍装置の室外ユニットであって、第１爪部および第２爪部は、下突出部を有している。そして、第２爪部の下突出部の鉛直方向の長さは、第１爪部の下突出部の鉛直方向の長さよりも短い。
【００２３】
第９発明に係る冷凍装置の室外ユニットでは、例えば、第１爪部の下突出部を第１開口にあずけて、第１爪部の下突出部の一部と、第１開口の下方を形成する部分との接触箇所を支点として第３ケーシング部材を第２ケーシング部材側へ回動させようとするとき、第３ケーシング部材は、下方に移動された状態にある。この状態で、第３ケーシング部材を、第２ケーシング側へ回動させると、第２爪部の下突出部が第２ケーシング部材に当たることになる。よって、第２爪部の下突出部の鉛直方向の長さを第１爪部の下突出部の鉛直方向の長さよりも短くすることで、第２爪部を第２開口に挿入しやすくしている。
【発明の効果】
【００２４】
第１発明に係る冷凍装置の室外ユニットでは、第１爪部または第２爪部が下突出部を有する場合、下突出部を、第１開口または第２開口にあずけることができるので、作業者が、第３ケーシング部材を第１ケーシング部材および第２ケーシング部材に対して取り付けやすくなる。また、第１爪部および第２爪部が下突出部を有する場合、それぞれの下突出部を第１開口または第２開口にあずけることができるので、作業者が、第３ケーシング部材を第１ケーシング部材および第２ケーシング部材に対して取り付けやすくなる。
【００２５】
第２発明に係る冷凍装置の室外ユニットでは、第３ケーシング部材が第１ケーシング部材および第２ケーシング部材に対して上方に移動されることにより、正規の位置に取り付けられる。
【００２６】
第３発明に係る冷凍装置の室外ユニットでは、第１爪部または第２爪部が下突出部を有する場合、第１突出部または第２突出部の先端部を除いた部分の下方に隙間が生じる。これにより、第１爪部または第２爪部を第１開口または第２開口に挿入した際、下突出部を、第１開口または第２開口の下方部分を形成する部分に接触させることができ、その接触箇所の一部を支点として第３ケーシング部材を第１ケーシング部材側または第２ケーシング部材側に回動させることができる。これにより、第３ケーシング部材の取り付け作業をしやすくなる。また、第１爪部および第２爪部が下突出部を有する場合、それぞれ、第１突出部および第２突出部の先端部を除いた部分の下方に隙間が生じる。よって、第３ケーシング部材を第１ケーシング部材側に回動させることも、第２ケーシング部材側に回動させることも可能になる。
【００２７】
第４発明に係る冷凍装置の室外ユニットでは、第１開口および第２開口の鉛直方向の長さが第１爪部および第２爪部の全体の鉛直方向の長さよりも長いことにより、第１爪部および第２爪部を第１開口および第２開口のそれぞれに挿入しやすくなる。よって、第３ケーシング部材の第１ケーシング部材および第２ケーシング部材への取り付けが容易になる。
【００２８】
第５発明に係る冷凍装置の室外ユニットでは、第１突出部が引っ掛け部を有することにより、第１爪部を第１開口に挿入した際、引っ掛け部を第１開口下部形成部に当接させることができる。これにより、この接触箇所を支点として第３ケーシング部材を回動させることができるので、第３ケーシング部材を第１ケーシング部材および第２ケーシング部材に取り付けやすくなる。また、下突出部が第１側部を有することにより、第３ケーシング部材を、引っ掛け部と第１開口下部形成部との接触箇所を支点として回動させる際、第１爪部が第１開口から外れないようにすることができる。
【００２９】
第６発明に係る冷凍装置の室外ユニットでは、第２爪部が回転方向に延びていることにより、第３ケーシング部材が第２ケーシング部材に対して嵌まりやすくなっている。
【００３０】
第７発明に係る冷凍装置の室外ユニットのケーシングの組立方法では、引っ掛け部が第１開口下部形成部に引っ掛けられることで、引っ掛け部と第１開口下部形成部との接触箇所が生じ、その接触箇所を支点として第３ケーシング部材を回動させることができるようになる。これにより、第２爪部を第２開口に挿入させやすくなり、作業者の第３ケーシング部材の第１ケーシング部材および第２ケーシング部材への取り付けが容易になる。
【００３１】
第８発明に係る冷凍装置の室外ユニットのケーシングの組立方法では、第３上端部が第４ケーシング部材に嵌まることで第３ケーシング部材が正規の位置に取り付けられる。
【００３２】
第９発明に係る冷凍装置の室外ユニットでは、例えば、第１爪部の下突出部を第１開口にあずけて、第１爪部の下突出部の一部と、第１開口の下方を形成する部分との接触箇所を支点として第３ケーシング部材を第２ケーシング部材側へ回動させようとするときは、第３ケーシング部材は、下方に移動された状態にある。この状態で、第３ケーシング部材を、第２ケーシング側へ回動させると、第２爪部の下突出部が第２ケーシング部材に当たることになる。よって、第２爪部の下突出部の鉛直方向の長さを第１爪部の下突出部の鉛直方向の長さよりも短くすることで、第２爪部を第２開口に挿入しやすくしている。
【図面の簡単な説明】
【００３３】
【図１】空調機の室外ユニットの外観斜視図（ケーシングの組立が完了している状態の室外ユニットの外観斜視図）。
【図２】空調機の室外ユニットの分解斜視図（但し、機械室に配置される機器は図示せず）。
【図３】図２の第１爪部の拡大右側面図。
【図４】第２爪部の拡大左側面図。
【図５】図２の第１開口の拡大正面図。
【図６】図２の第２開口の拡大正面図。
【図７】底板、室外熱交換器および室外ファン以外の部材を取り除いた室外ユニットの斜視図。
【図８】右正面ケーシング部材が取り外された状態の室外ユニットの外観斜視図（但し、機械室の内部は図示せず）。
【図９】右正面ケーシング部材が取り外された状態の室外ユニットの平面図。
【図１０】第１爪部が第１開口に挿入された状態における室外ユニットの外観斜視図（但し、機械室の内部は図示せず）。
【図１１】第１爪部が第１開口に挿入された状態における室外ユニットの平面図。
【図１２】天板を除くケーシングや機器等の組立が完了している状態の室外ユニットを示す平面図。
【図１３】機械室の内部を示すために右正面ケーシング部材を取り外した状態の室外ユニットの外観斜視図。
【図１４Ａ】第１爪部を第１開口に挿入する前の状態を示す図。
【図１４Ｂ】右正面ケーシング部材を下側に移動させ、第１爪部の引っ掛け部を第１開口下部形成部に引っ掛けた状態を示す図。
【図１４Ｃ】右正面ケーシング部材を上方に移動させた状態における第１爪部を示す図。
【発明を実施するための形態】
【００３４】
以下、図面を参照しながら、本発明の実施形態について説明する。
【００３５】
なお、以下の実施形態は、本発明の具体例であって、本発明の技術的範囲を限定するものではない。
【００３６】
＜空調機の室外ユニット２の構成＞
まず、空調機の室外ユニット２の構成について説明する。
【００３７】
なお、以下の説明において、「上」、「下」、「左」、「右」、「前」、「後」、「正面」、「背面」等の方向を示す表現を用いているが、これらは、特にことわりのない限り、図１に示される室外ユニット２を空気流の下流側から見た場合の方向（室外ユニット２を正面側から見た場合の方向）を意味する。
【００３８】
室外ユニット２は、空気調和を行う対象空間である室内の外部に設置されるものであり、室内の壁面等に取り付けられている室内ユニット（図示せず）と冷媒連絡配管（図示せず）を介して接続されている。室外ユニット２は、図２に示すように、主として、ケーシング２０と、冷媒回路（図示せず）を構成する冷媒回路構成部品３（図９を参照）と、ファン３１ａ、３１ｂと、仕切板２７と、電装品ユニット４０とを備えている。この室外ユニット２は、ケーシング２０の内部が鉛直に延びる仕切板２７により送風機室Ｓ１(後述する)と機械室Ｓ２（後述する）とに分割された、いわゆるトランク型の構造と呼ばれるものである。
【００３９】
（ケーシング２０）
ケーシング２０は、板金および樹脂によって形成され、右正面ケーシング部材２１、右側面ケーシング部材２２、左ケーシング部材２３、背面グリル２４、底板２５および天板２６から構成されている。
【００４０】
（１）右正面ケーシング部材２１
右正面ケーシング部材２１は、平面視において略Ｌ字形状に形成されており、ケーシング２０の正面の右側部分と、ケーシング２０の右側面の正面側寄りの部分とを構成するように配置される金属製の板状部材である。右正面ケーシング部材２１は、後述する底板２５から後述する天板２６まで上下方向に延び平面視において略Ｌ字形状に形成される本体部２１ａと、本体部２１ａの両端面のうち右側面に位置する第１端面２１０ａに形成される第１爪部８０と、本体部２１ａの両端面のうち正面に位置する第２端面２１０ｂに形成される第２爪部８１（図４を参照）とを有している。
【００４１】
本体部２１ａには、その正面の下端部の一部および右側面の下端部に、冷媒連絡配管が通るための切り欠きが形成されている。また、本体部２１ａの正面の中央部より下寄りの部分には、右正面ケーシング部材２１を、後述する右側面ケーシング部材２２、後述する左ケーシング部材２３および天板２６に取り付けやすいように取手９０が設けられている。
【００４２】
（ａ）第１爪部８０
第１爪部８０は、本体部２１ａの第１端面２１０ａから突出しており、後述する第１開口２２ｂ（図５を参照）に挿入可能である。なお、第１爪部８０は、３つある。図３に示すように、第１爪部８０は、第１突出部８０ｃと、第１突出部８０ｃから上方向に延びる上突出部８０ａと、第１突出部８０ｃから下方向に延びる下突出部８０ｂとを有する。ここで、第１爪部８０は、本体部２１ａと一体成形されて形成される。
【００４３】
第１突出部８０ｃは、本体部２１ａの第１端面２１０ａから、正面側から背面側に向かう方向（具体的には、第１開口２２ｂに向かう方向、右正面ケーシング部材２１が右側面ケーシング部材２２、左ケーシング部材２３および天板２６に嵌まっている正規の取付状態においては、後述する右側面ケーシング部材２２の両端面のうち、ケーシング２０の右側面に位置する第４端面２２０ｂに対して垂直に向かう方向）に突出している。第１突出部８０ｃは、背面側（具体的には、右側面ケーシング部材２２側）の先端部である第１先端部８０ｆを有する。また、第１突出部８０ｃは、第１突出部８０ｃの第１先端部８０ｆを除いた部分の下部に、第１開口２２ｂの下方部分（以下、第１開口下部形成部７１という）に引っ掛け可能な引っ掛け部８０ｄを有する。この引っ掛け部８０ｄは、背面側に向かうにつれ下側に傾斜しており、後述する第１側部８０ｅに繋がっている。ここで、引っ掛け部８０ｄの傾斜角度θは、例えば、１０°である。
【００４４】
上突出部８０ａは、第１突出部８０ｃの第１先端部８０ｆから上方向に延びている。
【００４５】
下突出部８０ｂは、第１突出部８０ｃの第１先端部８０ｆから下方向に延びている。また、下突出部８０ｂは、正面側（具体的には、右側面ケーシング部材２２の反対側）の側部であって第１開口下部形成部７１に引っ掛け可能な第１側部８０ｅを有する。
【００４６】
ここで、第１爪部８０は、全体として、本体部２１ａの第１端面２１０ａから第１突出部８０ｃと同様の方向に突出している。
【００４７】
また、ここで、第１爪部８０の全体の鉛直方向の長さ（すなわち、上突出部８０ａの最上位置から下突出部８０ｂの最下位置までの長さ）は、例えば、３３ｍｍである。そして、上突出部８０ａのみの鉛直方向の長さは、例えば、８ｍｍであり、下突出部８０ｂのみの鉛直方向の長さは、例えば、２ｍｍである。また、第１爪部８０の厚み（左右の）寸法は、例えば、０．７ｍｍである。
【００４８】
なお、下突出部８０ｂが第１先端部８０ｆから下方向に延びていることにより、引っ掛け部８０ｄの下方であって、第１側部８０ｅの正面側には隙間Ｓが生じている。
【００４９】
（ｂ）第２爪部８１
第２爪部８１は、本体部２１ａの第２端面２１０ｂから突出しており、後述する第２開口２３ａ（図６を参照）に挿入可能である。なお、第２爪部８１は、第１爪部８０と同様に、３つ存在する。図４に示すように、第２爪部８１は、第２突出部８１ｃと、第２突出部８１ｃから上方向に延びる上突出部８１ａと、第２突出部８１ｃから下方向に延びる下突出部８１ｂとを有する。ここで、第２爪部８１は、本体部２１ａおよび第１爪部８０と一体成形されて形成される。
【００５０】
第２突出部８１ｃは、本体部２１ａの第２端面２１０ｂから、正面側から背面側に向かう方向（具体的には、第２開口２３ａに向かう方向、右正面ケーシング部材２１が右側面ケーシング部材２２、左ケーシング部材２３および天板２６に嵌まっている正規の取付状態においては、左ケーシング部材２３の後述する受け部２９に対して垂直に延びる方向）に突出している。また、第２突出部８１ｃは、背面側の先端部である第１先端部８１ｆを有する。
【００５１】
上突出部８１ａは、第２突出部８１ｃの第１先端部８１ｆから上方向に延びている。
【００５２】
下突出部８１ｂは、第２突出部８１ｃから下方向に延びている。下突出部８１ｂの下部は、左側面視において、本体部２１ａから正面側に向かうにつれ下側に傾斜しており、この傾斜角度θは、例えば、１０°である。
【００５３】
ここで、第２爪部８１は、全体として、本体部２１ａの第２端面２１０ｂから、第２突出部８１ｃと同様の方向に突出している。
【００５４】
また、ここで、第２爪部８１の全体の鉛直方向の長さは（すなわち、上突出部８１ａの最上位置から第２突出部８１ｃの最下位置までの長さ）は、例えば、２７．４ｍｍである。そして、上突出部８１ａのみの鉛直方向の長さは、例えば、１１ｍｍであり、下突出部８１ｂのみの鉛直方向の長さは、１．４ｍｍである。また、第２爪部８１の厚み（左右の）寸法は、例えば、０．７ｍｍである。
【００５５】
（２）右側面ケーシング部材２２
右側面ケーシング部材２２は、図２に示すように、主にケーシング２０の右側面のうち、右正面ケーシング部材２１により構成される部分を除いた残りの部分と、背面の一部（右側部分）とを構成するように配置される金属製の板状部材である。また、右側面ケーシング部材２２は、底板２５から天板２６まで上下方向に延びており、平面視において略Ｌ字形状に形成されている。また、右側面ケーシング部材２２の、右正面ケーシング部材２１の第１端面２１０ａに対向する第４端面２２０ｂには、右正面ケーシング部材２１の３つの第１爪部８０に対応する位置に３つの第１開口２２ｂが形成されており、右正面ケーシング部材２１の３つの第１爪部８０が第１開口２２ｂに挿入可能である。
【００５６】
第１開口２２ｂは、図５に示すように、鉛直方向に上下に延びる開口であり、上方の先端部が正面視においてテーパ形状を有している。第１開口２２ｂの正面視における鉛直方向の長さは、例えば、５０ｍｍであり、第１開口２２ｂの正面視における最も幅の広い部分の幅寸法は、例えば、４ｍｍである。ここで、第１開口２２ｂの正面視における鉛直方向の長さは、第１爪部８０の上突出部８０ａの最上位置から下突出部８０ｂの最下位置までの長さよりも長い。また、第１開口２２ｂの幅寸法は、第１爪部８０の厚み寸法よりも広い。これらにより、作業者は、右正面ケーシング部材２１を水平にしたまま右側面ケーシング部材２２に取り付けることができ、第１爪部８０を第１開口２２ｂに挿入しやすいので、右正面ケーシング部材２１を右側面ケーシング部材２２に容易に取り付けることができるようになっている。また、ここで、第１開口２２ｂの上方の先端部が正面視においてテーパ形状を有していることにより、第１爪部８０の上突出部８０ａが正規の取付位置に案内されやすい構成となっている。
【００５７】
（３）左ケーシング部材２３
左ケーシング部材２３は、主にケーシング２０の左側部分を構成する金属製の板状部材である。具体的には、図２に示すように、左ケーシング部材２３は、平面視において略Ｌ字形状に形成されており、ケーシング２０の左側面から正面の左側部分にかけて配置され、底板２５から天板２６まで上下方向に延びている。つまり、右正面ケーシング部材２１のうち、ケーシング２０の正面を構成する部分と、左ケーシング部材２３のうち、ケーシング２０の正面を構成する部分とで、ケーシング２０の正面が構成されている。また、左ケーシング部材２３のうち、ケーシング２０の正面を構成する部分は、本体部２８と、図２の平面視において、本体部２８よりも内側（背面側）に位置する受け部２９と、受け部２９から本体部２８にかけて垂直に立ち上がる垂直部３０とを有する。
【００５８】
本体部２８には、円の形状を有する吹出口（図示せず）が上下方向に並んで２つ形成されており、ファングリル３２ａ、３２ｂは、各吹出口を覆うようにしてそれぞれ取り付けられている。なお、吹出口は、後述するファン３１ａ、３１ｂによってケーシング２０の背面側および左側面側から内部に取り込まれた空気を外部に排出するための開口である。
【００５９】
受け部２９には、右正面ケーシング部材２１の３つの第２爪部８１に対応する位置に３つの第２開口２３ａが形成されており、３つの第２爪部８１がそれぞれの位置に対応する３つの第２開口２３ａに挿入可能となっている。
【００６０】
垂直部３０には、ケーシング２０の組立が完成した状態（図１に示す室外ユニット２の状態）において、右正面ケーシング部材２１の第２端面２１０ｂが当接し、右正面ケーシング部材２１の両端部のうちケーシング２０の正面に位置する端部は、受け部２９および垂直部３０と接するようになっている。
【００６１】
第２開口２３ａは、図６に示すように、鉛直方向に上下に延びる開口であり、上方の先端部が正面視においてテーパ形状を有している。第２開口２３ａの上方の先端部が正面視においてテーパ形状を有していることにより、第２爪部８１の上突出部８１ａが正規の位置に案内されやすい構成となっている。第２開口２３ａの正面視における鉛直方向の長さは、例えば、５０ｍｍであり、第２開口２３ａの正面視における最も幅の広い部分の幅寸法は、例えば、５ｍｍである。ここで、第２開口２３ａの正面視における鉛直方向の長さは、第２爪部８１の上突出部８１ａの最上位置から下突出部８１ｂの最下位置までの長さよりも長く、第２開口２３ａの幅寸法は、第２爪部８１の厚み寸法よりも大きい。これらにより、作業者は、第２爪部８１を容易に第２開口２３ａに挿入することができる。
【００６２】
（４）背面グリル２４
背面グリル２４は、主にケーシング２０の背面を構成する部材である。具体的には、図２に示すように、背面グリル２４は、右側面ケーシング部材２２の、ケーシング２０の背面を構成する部分を除いた残りの部分を構成しており、底板２５から天板２６まで上下方向に延びている。背面グリル２４は、格子状に組まれた金属製のワイヤにポリプロピレン樹脂製の枠を取り付けた構造となっている。
【００６３】
（５）底板２５
底板２５は、ケーシング２０の下面を構成する略直方形状の金属製の板状部材である。底板２５は、図７に示すように、平面視で略長方形の形状を有し水平面に沿う水平部２５ａと、その水平部２５ａの四辺の縁部それぞれから鉛直上方に立ち上がる垂直部２５ｂとから構成されている。垂直部２５ｂは、プレス成形によって、水平部２５ａと一体に形成される。また、底板２５の上面には、強度を上げるための凹凸や溝が形成されている。また、底板２５の下面には、この室外ユニット２をブロック等に固定するための２つの据付脚２０ｂおよび２０ｃが設けられている。据付脚２０ｂおよび２０ｃは、正面視において略Ｕ字形状を有し、ケーシング２０の前側から後側に向かって延びる金属製の板状部材である。
【００６４】
（６）天板２６
天板２６は、ケーシング２０の上面を構成する略直方形状の金属製の板状部材である。天板２６の周縁部分は、図２に示すように、内側かつ下側に折り曲げられており、右正面ケーシング部材２１、右側面ケーシング部材２２、左ケーシング部材２３および背面グリル２４の各上端部と嵌合可能であり、係合可能な形状を有している。
【００６５】
（冷媒回路構成部品３）
冷媒回路構成部品３は、図９、図１１〜図１３に示すように、室外熱交換器３３、圧縮機３４、アキュムレータ３５、四路切換弁３６等を有している。
【００６６】
室外熱交換器３３は、図２や図７等に示すように、略Ｌ字の形状を有しており、ケーシング２０の左側面から背面に沿うように配置されている。室外熱交換器３３は、ケーシング２０の背面側および左側面側からケーシング２０内に吸い込まれる空気と熱交換を行う。
【００６７】
圧縮機３４は、冷媒を圧縮するためのものであって、圧縮機モータ（図示せず）によって駆動される。圧縮機３４は、図１３に示すように、機械室Ｓ２内に配置されている。具体的には、圧縮機３４は、機械室Ｓ２内のうち、仕切板２７の近傍であって、かつ、後述する電装品ユニット４０の下方に配置されている。
【００６８】
アキュムレータ３５は、圧縮機３４の吸入口と四路切換弁３６との間に接続された冷媒回路（図示せず）内を循環する低圧冷媒を一時的に溜めるための容器である。アキュムレータ３５は、機械室Ｓ２内であって、圧縮機３４の背面側に配置されている。
【００６９】
四路切換弁３６は、冷媒の流れの方向を切り換えるための弁であり、図９に示すように、アキュムレータ３５の上方に配置されている。
【００７０】
（ファン３１ａ、３１ｂ）
ファン３１ａ、３１ｂは、送風機室Ｓ１内の空気を室外ユニット２の外部に送るためのものであって、ファンモータ３１ｃ、３１ｄ（図７や図９を参照）によって駆動される。ファン３１ａ、３１ｂは、図２および図７に示すように、左ケーシング部材２３の本体部２８に上下方向に並んで形成された各吹出口に対応するようにして配置されている。
【００７１】
（仕切板２７）
仕切板２７は、ケーシング２０の底板２５から天板２６にかけて上下方向に延びており、図２に示すように、平面視において弧状の形状を有している。仕切板２７は、ケーシング２０の内部を送風機室Ｓ１と、機械室Ｓ２とに分割するようにしてケーシング２０内に配置されている。なお、送風機室Ｓ１には、ファン３１ａ、３１ｂおよび室外熱交換器３３が配置され、機械室Ｓ２には、圧縮機３４、四路切換弁３６、電装品ユニット４０等が配置されている。
【００７２】
（電装品ユニット４０）
電装品ユニット４０は、図１３に示すように、機械室Ｓ２内の、圧縮機３４の上方に配置されており、主として、圧縮機モータ等の回転数を制御するためのインバータ制御素子等の電装品が実装された基板や、運転制御を行うためのマイクロコンピュータ等の電装品が実装された基板を収容している。
【００７３】
＜室外ユニット２の組立方法＞
室外ユニット２は、まず、図７に示すように、底板２５の水平部２５ａの上面の、左端側部分から背面側部分にかけて室外熱交換器３３が配置され、室外熱交換器３３に取り付けられるバー５１に、ファン３１ａ、３１ｂとネジで固定されているファンモータ３１ｃ、３１ｄが取り付けられる。次に、仕切板２７が、底版２５の水平部２５ａの上面の、中央部よりも右側寄りの部分に配置される（図９や図１３を参照）。なお、仕切板２７は、その前面の下端部が垂直部２５ｂとネジで固定される。そして、機械室Ｓ２に、圧縮機３４、アキュムレータ３５、四路切換弁３６等の配置されるべき機器が配置される。そして、ケーシング２０を構成する右側面ケーシング部材２２、左ケーシング部材２３、背面グリル２４、天板２６、右正面ケーシング部材２１が組み立てられていく。
【００７４】
ここで、室外ユニット２の組立が完成した状態において、右正面ケーシング部材２１、右側面ケーシング部材２２、左ケーシング部材２３および背面グリル２４は、各下端部が垂直部２５ｂの外面に当接しており、各下端部が外側からネジで固定されている。また、天板２６の周縁部分は、右正面ケーシング部材２１、右側面ケーシング部材２２、左ケーシング部材２３および背面グリル２４の各上端部と当接しており、天板２６の外面からネジで固定されている。
【００７５】
また、ここで、右正面ケーシング部材２１は、最後に取り付けられるケーシング部材である。すなわち、右正面ケーシング部材２１は、図８、図９および図１３に示すような、右側面ケーシング部材２２、左ケーシング部材２３および天板２６が組み立てられている状態において、その残りのスペースにセットされて右側面ケーシング部材２２、左ケーシング部材２３および天板２６に対して取り付けられることになる。ここで、最後に取り付けられるケーシング部材は、既に取り付けられた複数のケーシング部材に当てて取り付けを行わなければならないので、作業者にとって手間がかかることが想定される。そこで、本実施形態での右正面ケーシング部材２１は、以下のような取り付けが行われる。
【００７６】
（右正面ケーシング部材２１の取付方法）
まず、図１０および図１１に示すように、右正面ケーシング部材２１の第１爪部８０を右側面ケーシング部材２２の第１開口２２ｂに挿入する（図１４Ａを参照）。ここで、第１開口２２ｂの正面視における鉛直方向の長さは、第１爪部８０の全体の鉛直方向の長さよりも長いので、作業者が第１爪部８０を第１開口２２ｂに挿入しやすくなっている。
【００７７】
そして、引っ掛け部８０ｄを第１開口下部形成部７１に引っ掛けるように、右正面ケーシング部材２１を下側に下ろす（図１４Ｂを参照）。
【００７８】
次に、引っ掛け部８０ｄと、第１開口下部形成部７１との接触箇所を支点として、右正面ケーシング部材２１を左ケーシング部材２３側へ回動させ、第２開口２３ａへ第２爪部８１を挿入させる（図１２を参照）。
【００７９】
ここで、第２爪部８１は、右正面ケーシング部材２１の本体部２１ａの第２端面２１０ｂから、第２開口２３ａに向かう方向、つまり、引っ掛け部８０ｄと第１開口下部形成部７１との接触箇所を支点として右正面ケーシング部材２１が回動する方向に突出している。これにより、第２爪部８１が第２開口２３ａに嵌まりやすくなっており、右正面ケーシング部材２１が左ケーシング部材２３に対して取り付けられやすくなっている。
【００８０】
また、ここで、第１爪部８０が第１側部８０ｅを有していることにより、右正面ケーシング部材２１を引っ掛け部８０ｄと第１開口下部形成部７１との接触箇所を支点として左ケーシング部材２３側へ回動させる際、右正面ケーシング部材２１が多少正面側へずれても第１爪部８０が第１開口２２ｂから外れないようになっている。
【００８１】
また、ここで、第２爪部８１の下突出部８１ｂの鉛直方向の長さは、第１爪部８０の下突出部８０ｂの鉛直方向の長さよりも短い。これは、右正面ケーシング部材２１を、引っ掛け部８０ｄと第１開口下部形成部７１との接触箇所を支点として、左ケーシング部材２３側へ回動させ、第２爪部８１を第２開口２３ａに挿入しようとする際に、右正面ケーシング部材２１の本体部２８の左端部を少しだけ持ち上げることで、第２爪部８１を第２開口２３ａに挿入できるようにするためである。つまり、右正面ケーシング部材２１を左ケーシング部材２３側へ回動させようとするときには、第１爪部８０の引っ掛け部８０ｄが第１開口下部形成部７１に接している状態にあるので、第１爪部８０の下突出部８０ｂの鉛直方向の長さの分、または、その長さに近い分、右正面ケーシング部材２１は下側に移動していることになる。そして、この状態で、右正面ケーシング部材２１を左ケーシング部材２３側へ回動させようとすると、第２爪部８１の下突出部８１ｂが左ケーシング部材２３の受け部２９の第２開口２３ａの下方部分に当たる。そこで、第２爪部８１の下突出部８１ｂの鉛直方向の長さを第１爪部８０の下突出部８０ｂの鉛直方向の長さよりも短くすることで、第２爪部８１を第２開口２３ａに挿入しやすくし、作業者の右正面ケーシング部材２１の取り付け作業を簡易にしている。
【００８２】
なお、第２開口２３ａの正面視における鉛直方向の長さは、第２爪部８１の鉛直方向の長さよりも長い構成となっており、第２開口２３ａの幅寸法は、第２爪部８１の厚み寸法よりも大きい構成となっているので、右正面ケーシング部材２１の本体部２８の左端部を少し持ち上げれば、第２爪部８１を第２開口２３ａに挿入しやすい構成となっている。
【００８３】
さらに、ここで、第１爪部８０および第２爪部８１がいずれも下突出部８０ｂ、８１ｂを有していることにより、第１爪部８０を第１開口２２ｂに挿入し、右正面ケーシング部材２１を左ケーシング部材２３側に回動させ、第２爪部８１を第２開口２３ａに挿入したときに、第１爪部８０の引っ掛け部８０ｄが第１開口下部形成部７１に引っ掛かり、第２爪部８１の下突出部８１ｂが第２開口２３ａに預けられている状態にあるので、第１爪部８０および第２爪部８１がそれぞれ第１開口２２ｂおよび第２開口２３ａから外れずに、挿入されたままの状態が保持されることが期待できる。
【００８４】
そして、第１爪部８０が第１開口２２ｂに挿入されている状態、かつ、第２爪部８１が第２開口２３ａに挿入されている状態（すなわち、右正面ケーシング部材２１が右側面ケーシング部材２２および左ケーシング部材２３に接している状態）で、右正面ケーシング部材２１を右側面ケーシング部材２２および左ケーシング部材２３に対して上方に移動させる（図１４Ｃを参照）。ここで、第１開口２２ｂおよび第２開口２３ａの上方の先端部が、正面視においてテーパ形状を有していることにより、右正面ケーシング部材２１を右側面ケーシング部材２２および左ケーシング部材２３に対して上方に移動させる際、第１爪部８０の上突出部８０ａおよび第２爪部８１の上突出部８１ａがそれぞれ正規の位置に案内されやすい構成となっている。また、ここで、右正面ケーシング部材２１を上方に移動させるのは、天板２６が既に取り付けられている状態にあるので、右正面ケーシング部材２１の上端部を天板２６の周縁部の内面に係合させるためである。つまり、右正面ケーシング部材２１を上方に移動させることで、右正面ケーシング部材２１は、右側面ケーシング部材２２、左ケーシング部材２３および天板２６に嵌まっている状態となり、正規の位置にセットされた状態となる。
【００８５】
そして、右正面ケーシング部材２１の下端部を底板２５の垂直部２５ｂの外面からネジ止めして、室外ユニット２の組立が完了する。なお、図１は、ケーシング２０等の組立が完了している状態の室外ユニット２を示す斜視図であり、図１２は、天板２６を除くケーシング２０や機器等の組立が完了している状態の室外ユニット２を示す平面図である。
【００８６】
ここで、天板２６の周縁部が、右正面ケーシング部材２１の上端部と係合可能な形状を有していることにより、作業者が右正面ケーシング部材２１を右側面ケーシング部材２２、左ケーシング部材２３および天板２６に対して取り付けた際、右正面ケーシング部材２１の上端部が天板２６の周縁部に一瞬引っ掛かることが期待できるので、作業者は、右正面ケーシング部材２１の下端部を底板２５の垂直部２５ｂの外面にネジ止めしやすくなる。
【００８７】
＜本実施形態に係る空調機の室外ユニット２の特徴＞
（１）
室外ユニットの外面を構成するケーシング部材は、複数枚の板金部材から構成されることが多い。そのため、ケーシング部材は、隣接するケーシング部材と互いに係合するように凹部や凸部などの係合部を有しているものがある。
【００８８】
しかし、作業者が最後に取り付けるべきケーシング部材を取り付けようとするとき、既に他のケーシング部材は全て組み立てられている状態にあるので、残りのスペースにそのケーシング部材をセットしなければならないが、これは作業者にとって手間のかかる作業であることが想定される。また、例えば、最後に取り付けられるケーシング部材の両端部に凸部が形成されており、各端部の凸部が、隣接するケーシング部材の端部に形成される凹部と係合することによりケーシングが組み立てられる場合、最後に取り付けられるケーシング部材の両端に形成される凸部をそれぞれ、隣接するケーシング部材の凹部に噛み合わせるのに手間がかかったり、凸部と凹部が複数ある場合は、１組の凸部と凹部とが噛み合わなければケーシング部材を取り付けられなかったりする場合も想定される。つまり、全ての凸部を全ての凹部に同時に噛み合わせるのは作業者にとって手間のかかる作業であると考えられる。
【００８９】
そこで、本実施形態の室外ユニット２では、第１爪部８０が、上突出部８０ａのみでなく、第１突出部８０ｃの第１先端部８０ｆから下方向に延びる下突出部８０ｂをさらに有している。また、下突出部８０ｂは、第１先端部８０ｆから突出しているため、第１突出部８０ｃの第１先端部８０ｆを除く部分の下方に隙間Ｓが生じるようになっている。この隙間Ｓが生じることにより、第１爪部８０を第１開口２２ｂに挿入した際、隙間Ｓの上方に位置し第１突出部８０ｃの第１先端部８０ｆを除いた部分の下部分に位置する引っ掛け部８０ｄを第１開口下部形成部７１に引っ掛けることができるようになる。
【００９０】
これにより、引っ掛け部８０ｄと第１開口下部形成部７１との接触箇所を支点として右正面ケーシング部材２１を左ケーシング部材２３側へ回動させることができる。
【００９１】
よって、まず、第１爪部８０を第１開口２２ｂに挿入し、引っ掛け部８０ｄを第１開口下部形成部７１に引っ掛けるように右正面ケーシング部材２１を下側に移動させてから、その後に第２爪部８１を第２開口２３ａに挿入するといったことが可能になる。すなわち、第１爪部８０および第２爪部８１をそれぞれ第１開口２２ｂおよび第２開口２３ａに同時に挿入するといったことを必要としないので、容易に右正面ケーシング部材２１を右側面ケーシング部材２２および左ケーシング部材２３に取り付けることが可能になる。
【００９２】
したがって、作業者は、ケーシング部材の組立作業をしやすくなる。
【００９３】
また、本実施形態において、右正面ケーシング部材２１は、室外ユニット２の据付時や、室外ユニット２を構成する部品の交換などのメンテナンス時において取り外すことが多い部分である。このため、作業者にとって、右正面ケーシング部材２１の取り付けや取り外し作業は簡易であることが望ましい。
【００９４】
そこで、右正面ケーシング部材２１が上記のような第１爪部８０および第２爪部８１を有することによって、右正面ケーシング部材２１を右側面ケーシング部材２２および左ケーシング部材２３から取り外すことが容易になっている。右正面ケーシング部材２１の具体的な取り外し方法としては、まず、右正面ケーシング部材２１を右側面ケーシング部材２２および左ケーシング部材２３に対して下方に移動させる。次に、右正面ケーシング部材２１の本体部２８の左端部を持ち上げて、第２爪部８１の下突出部８１ｂを第２開口２３ａから外す。そして、この状態で、第１爪部８０の下突出部８０ｂが第１開口２２ｂから外れるように右正面ケーシング部材２１を持ち上げることで、右正面ケーシング部材２１を右側面ケーシング部材２２および左ケーシング部材２３から取り外す。そして、再度右正面ケーシング部材２１を右側面ケーシング部材２２および左ケーシング部材２３に取り付ける際は、上述した方法を用いる。
【００９５】
よって、右正面ケーシング部材２１の取り外しや取り付けが容易となることにより、作業者の作業効率の向上に貢献する。
【００９６】
（２）
また、本実施形態では、第１爪部８０のみでなく、第２爪部８１も下突出部８１ｂを有している。
【００９７】
これにより、第１爪部８０を第１開口２２ｂに挿入した状態で、右正面ケーシング部材２１を引っ掛け部８０ｄと第１開口下部形成部７１との接触箇所を支点として左ケーシング部材２３側へ回動させ、第２爪部８１を第２開口２３ａに挿入したときに、第１爪部８０および第２爪部８１の両方の下突出部８０ｂ、８１ｂがそれぞれ第１開口２２ｂおよび第２開口２３ａにあずけられている状態にあるので、一時的にその状態（第１爪部８０が第１開口２２ｂに挿入され、第２爪部８１が第２開口２３ａに挿入された状態）が保持されることが期待できる。
【００９８】
（３）
本実施形態に係る空調機の室外ユニット２では、第１爪部８０の全体の鉛直方向の長さが第１開口２２ｂの正面視における鉛直方向の長さよりも長い構成となっており、第１開口２２ｂの幅寸法は、第１爪部８０の厚み寸法よりも長い構成となっている。
【００９９】
これにより、第１爪部８０を第１開口２２ｂに挿入しやすくなる。つまり、右正面ケーシング部材２１を斜めに傾ける等をせずに水平にしたままでも右側面ケーシング部材２２に容易に取り付けることができるようになる。よって、作業者はケーシング部材の組立作業をしやすくなる。
【０１００】
また、第２開口２３ａも第１開口２２ｂと同様に、第２爪部８１の全体の鉛直方向の長さよりも長い構成となっており、第２開口２３ａの幅寸法は、第２爪部８１の厚み寸法よりも長い構成となっている。これにより、第２爪部８１を第２開口２３ａに挿入しやすくなっている。
【０１０１】
また、本実施形態において、第１開口２２ｂおよび第２開口２３ａの上方の先端部は、正面視においてテーパ形状を有している。
【０１０２】
これにより、第１爪部８０の上突出部８０ａおよび第２爪部８１の上突出部８１ａがそれぞれ第１開口２２ｂおよび第２開口２３ａにおいて正規の位置に納まるように導かれる。
【０１０３】
（４）
本実施形態では、第１爪部８０の下突出部８０ｂの鉛直方向の長さよりも、第２爪部８１の下突出部８１ｂの鉛直方向の長さのほうが短い構成となっている。
【０１０４】
右正面ケーシング部材２１を引っ掛け部８０ｄと第１開口下部形成部７１との接触箇所を支点として左ケーシング部材２３側へ回動させようとするときには、第１爪部８０の引っ掛け部８０ｄが第１開口下部形成部７１に接している状態にあるので、第１爪部８０の下突出部８０ｂの鉛直方向の長さの分、または、その長さに近い分、右正面ケーシング部材２１は下側に移動していることになる。そして、この状態で、右正面ケーシング部材２１を左ケーシング部材２３側へ回動させようとすると、第２爪部８１の下突出部８１ｂが左ケーシング部材２３の受け部２９の第２開口２３ａの下方部分に当たることになる。
【０１０５】
よって、第２爪部８１の下突出部８１ｂの鉛直方向の長さを第２爪部の下突出部８０ｂの鉛直方向の長さよりも短くすることで、第２爪部８１を第２開口２３ａに挿入しやすくしている。
【０１０６】
＜本実施形態に係る空調機の室外ユニット２の変形例＞
（Ａ）
上記実施形態では、第１爪部８０および第２爪部８１は、それぞれ上突出部８０ａ、８１ａと、下突出部８０ｂ、８１ｂとを有している構成としているが、第２爪部８１は、下突出部８１ｂを有していない構成としてもよい。この場合であっても、上記実施形態のように、この下突出部８０ｂと、第１開口下部形成部７１との接触箇所を支点として右正面ケーシング部材２１を左ケーシング部材２３側へ回動させることができ、作業者にとって、右正面ケーシング部材２１の取り付け作業が容易になる。
【０１０７】
また、上記実施形態では、第２爪部８１の下突出部８１ｂは、その下部が右正面ケーシング部材２１の本体部２１ａから正面側に向かうにつれ下側に傾斜していると説明したが、これに限られるものではない。例えば、第１爪部８０のように、第２爪部８１の下突出部８１ｂは、第１先端部８１ｆから下方向に延びていてもよい。
【０１０８】
この場合、第２爪部８１の第２突出部８１ｃの先端部を除いた部分の下方に隙間が生じる。これにより、第２爪部８１の第２突出部８１ｃの先端部を除いた部分の下部（以下、第２引っ掛け部という）を第２開口の下方部分（以下、第２開口下部形成部という）に接触させることができ、その接触箇所を支点として右正面ケーシング部材２１を右側面ケーシング部材２２側へ回動させることが可能になる。そして、次のステップで、第１爪部８０を第１開口２２ｂに挿入し、その状態で右正面ケーシング部材２１を上方に移動させて、ケーシングの組立作業が完了する。但し、右正面ケーシング部材２１を第２爪部８１の第２引っ掛け部と第２開口下部形成部との接触箇所を支点として右側面ケーシング部材２２側へ回動させる場合は、第２爪部８１の下突出部８１ｂの鉛直方向の長さは、第１爪部８０の下突出部８０ｂの鉛直方向の長さよりも短い構成とすべきである。つまり、上記実施形態と同様に、後に開口に挿入される爪部の下突出部の鉛直方向の長さは、最初に開口に挿入される下突出部の鉛直方向の長さよりも短い構成とすることが望ましい。
【０１０９】
また、第２爪部８１の下突出部８１ｂが、第１先端部８１ｆから下方向に延びている場合、第１爪部８０は、下突出部８０ｂを有していない構成としてもよい。
【０１１０】
この場合、第２爪部８１の第２引っ掛け部と第２開口下部形成部との接触箇所を支点として右正面ケーシング部材２１を右側面ケーシング部材２２側へ回動させることができるので、作業者は、右正面ケーシング部材２１の取り付け作業を容易にすることが可能になる。
【０１１１】
また、上記実施形態では、第１爪部８０は、右正面ケーシング部材２１の第１端面２１０ａに形成されており、第２爪部８１は、右正面ケーシング部材２１の第２端面２１０ｂに形成されていると説明したが、本発明はこれに限られるものではなく、第１爪部８０は、第２端面２１０ｂに形成され、第２爪部８１は、第１端面２１０ａに形成されてもよい。この場合、第２端面２１０ｂに形成される第１爪部８０の下突出部８０ｂと、第２開口下部形成部との接触箇所を支点として右正面ケーシング部材２１を右側面ケーシング部材２２側へと回動させることが可能になる。
【０１１２】
（Ｂ）
上記実施形態では、右正面ケーシング部材２１は、平面視において略Ｌ字形状に形成されていると説明したが、本発明はこれに限られるものではなく、他の形状であってもよい。例えば、右正面ケーシング部材２１は、ケーシング２０の正面のみを構成するようなフラットの形状を有していてもよい。
【０１１３】
（Ｃ）
上記実施形態では、右側面ケーシング部材２２の第４端面２２０ｂと、左ケーシング部材２３の受け部２９とにそれぞれ第１開口２２ｂおよび第２開口２３ａが形成されていると説明した。しかし、本発明はこれに限られるものではなく、右側面ケーシング部材２２の両端面のうち第４端面２２０ｂでない方の端面（右側面ケーシング部材２２の、ケーシング２０の背面に位置する端面）にも、第１開口２２ｂのような開口が形成されてもよいし、左ケーシング部材２３の、ケーシング２０の左側面に位置する端面にも、第２開口２３ａのような開口が形成されてもよい。また、右側面ケーシング部材２２の両端面のうち第４端面２２０ｂでない方の端面および左ケーシング部材２３のケーシング２０の左側面に位置する端面には、上述したような開口ではなく、第１爪部８０や第２爪部８１のような爪部が形成されていてもよい。
【０１１４】
（Ｄ）
上記実施形態では、第１爪部８０および第２爪部８１はそれぞれ３つあると説明したが、本発明はこれに限られるものではなく、３つ以上であっても３つ以下であってもよい。また、第１爪部８０および第２爪部８１に対応して、第１開口２２ｂおよび第２開口２３ａの数も変更されてもよい。
【０１１５】
（Ｅ）
上記実施形態では、第１爪部８０が第１開口２２ｂに挿入されている状態、かつ、第２爪部８１が第２開口２３ａに挿入されている状態（すなわち、右正面ケーシング部材２１が右側面ケーシング部材２２および左ケーシング部材２３に接している状態）で、右正面ケーシング部材２１の上端部が天板２６に嵌まるように、右正面ケーシング部材２１を右側面ケーシング部材２２および左ケーシング部材２３に対して上方に移動させると説明したが、本発明はこれに限られるものではない。
【０１１６】
例えば、右正面ケーシング部材２１が右側面ケーシング部材２２および左ケーシング部材２３に取り付けられた状態で、右正面ケーシング部材２１が正規の位置に取り付けられた状態となる室外ユニット２の場合は、右正面ケーシング部材２１の上端部が天板２６に嵌まるように上方に移動させなくてもよい。つまり、この場合、引っ掛け部８０ｄと、第１開口下部形成部７１との接触箇所を支点として、右正面ケーシング部材２１を左ケーシング部材２３側へ回動させ、第２開口２３ａへ第２爪部８１を挿入させた状態でケーシング２０の組立が完了する。
【０１１７】
（Ｆ）
上記実施形態では、空調機の室外ユニット２に限定して説明したが、本発明は空調機の室外ユニット２に限られるものではない。例えば、ヒートポンプ式の給湯器の室外ユニットであってもよい。
【産業上の利用可能性】
【０１１８】
本発明では、冷凍装置の室外ユニットにおいて、作業者がケーシング部材の取り付け作業をしやすくなるので、有用である。
【符号の説明】
【０１１９】
２  室外ユニット
２０  ケーシング
２１  右正面ケーシング部材（第３ケーシング部材）
２１ａ  右正面ケーシング部材の本体部（第３ケーシング部材の本体部）
２２  右側面ケーシング部材（第１ケーシング部材）
２２ｂ  第１開口
２３  左ケーシング部材（第２ケーシング部材）
２３ａ  第２開口
２６  天板（第４ケーシング部材）
２９  左ケーシング部材の受け部（第２ケーシング部材の受け部）
７１  第１開口下部形成部
８０  第１爪部
８０ａ  上突出部
８０ｂ  下突出部
８０ｃ  第１突出部
８０ｄ  引っ掛け部
８０ｅ  第１側部
８１  第２爪部
８１ａ  上突出部
８１ｂ  下突出部
８１ｃ  第２突出部
【先行技術文献】
【特許文献】
【０１２０】
【特許文献１】特開２００３−１０６５６５号公報
【図１】
2010175195.tif 000003
【図２】
2010175195.tif 000004
【図３】
2010175195.tif 000005
【図４】
2010175195.tif 000006
【図５】
2010175195.tif 000007
【図６】
2010175195.tif 000008
【図７】
2010175195.tif 000009
【図８】
2010175195.tif 000010
【図９】
2010175195.tif 000011
【図１０】
2010175195.tif 000012
【図１１】
2010175195.tif 000013
【図１２】
2010175195.tif 000014
【図１３】
2010175195.tif 000015
【図１４Ａ】
2010175195.tif 000016
【図１４Ｂ】
2010175195.tif 000017
【図１４Ｃ】
2010175195.tif 000018